(57)【特許請求の範囲】
【請求項１】
地中に埋設され上流側の流入口、下流側の流出口およびインバート部を備えた既設公共桝内に配設され、この既設公共桝を補修する補修桝であって、
断面略凹弧状の胴体部、この胴体部の軸方向の一端に形成された流入側被嵌合部、この流入側被嵌合部と対向する前記胴体部の軸方向の他端に形成された流出側被嵌合部、前記胴体部の両側に突設された一対の傾斜面部、これら一対の傾斜面部の先端から上方に向って突出する一対の突出壁、これら一対の突出壁のそれぞれに内方に向けて突設された一対の嵌合突部を備え、前記既設公共桝の流入口および流出口のそれぞれに前記流入側被嵌合部および前記流出側被嵌合部を臨ませて、前記胴体部を前記既設公共桝のインバート部に載置させ、かつ前記一対の傾斜面部を前記既設公共桝のインバート部の両側に載置させた状態で、この既設公共桝内に配設されるインバート部材と、
一端に開口され前記インバート部材の流入側被嵌合部に嵌合される流入側嵌合部、およびこの流入側嵌合部と対向する他端に開口され前記既設公共桝の流入口に嵌挿される流入口嵌挿部を備えた略円筒状の流入側接続体と、
一端に開口され前記インバート部材の流出側被嵌合部に嵌合される流出側嵌合部、およびこの流出側嵌合部と対向する他端に開口され前記既設公共桝の流出口に嵌挿される流出口嵌挿部を備えた略円筒状の流出側接続体と、
上方に開口され略円筒状の立上り管が嵌挿接続可能な嵌挿口を有する筒状部、この筒状部の外周面に形成され前記インバート部材に載置させた状態でこのインバート部材の一対の嵌合突部に嵌合する一対の嵌合段部を備え、これら一対の嵌合段部に前記インバート部材の一対の嵌合突部をそれぞれ嵌合させることにより、このインバート部材に嵌合させた前記流入側接続体および前記流出側接続体のそれぞれに嵌合して前記既設公共桝の流入口と流出口とを連通する連通部材と
を具備していることを特徴とした補修桝。
【請求項２】
インバート部材は、一対の突出壁の内周面にそれぞれ形成され、一対の嵌合突部に連通部材の一対の嵌合段部をそれぞれ嵌合させた状態で、この連通部材の外側面と当接する一対の接着面部を備えている
ことを特徴とした請求項１記載の補修桝。
【発明の詳細な説明】
【０００１】
【発明の属する技術分野】
本発明は、地中に埋設された既設公共桝を補修する補修桝に関する。
【０００２】
【従来の技術】
従来、公共下水道が敷設されている地域には、既設公共桝が宅地と道路との境界線近くで地中に埋設されている。また、この既設公共桝は、古くから公共下水道が敷設されているところでは、コンクリートにて円筒状に成形され、対向する各側面に流入口および流出口が形成された桝本体を地中に埋設した後、モルタルなどを用いて水密にこの桝本体上に高さ調節体を積み上げて高さ寸法を地表面に合わせ、さらに、この桝本体内にモルタルを流し込んで、この桝本体の底部に半円形状のインバート部を形成し、このインバート部で流入口と流出口とを連通したものである。
【０００３】
この結果、この既設公共桝は、経時的に地盤の変動などで各接合部分や、流入口または流出口などが剥離してしまい、これら各接合部分に外部から植物の根や雨水などが侵入してしまう。また、排水の流れによる磨耗によりインバート部が劣化してしまう。
【０００４】
そこで、この既設公共桝内に、新たな排水桝である補修桝を配設し、この補修桝で既設公共桝の流入口と流出口とを連通して、この既設公共桝を補修することが提案されている。
【０００５】
【発明が解決しようとする課題】
しかしながら、既設公共桝のインバート部を取り壊さずに、この既設公共桝内に補修桝を配設して、この既設公共桝を補修する場合には、既設公共桝内が狭いため、既設公共桝の補修作業が容易でなく、さらには、確実な補修を容易にできないという問題を有している。
【０００６】
本発明は、このような点に鑑みなされたもので、既設公共桝の確実な補修を容易にできる補修桝を提供することを目的とする。
【０００７】
【課題を解決するための手段】
請求項１記載の補修桝は、地中に埋設され上流側の流入口、下流側の流出口およびインバート部を備えた既設公共桝内に配設され、この既設公共桝を補修する補修桝であって、断面略凹弧状の胴体部、この胴体部の軸方向の一端に形成された流入側被嵌合部、この流入側被嵌合部と対向する前記胴体部の軸方向の他端に形成された流出側被嵌合部、前記胴体部の両側に突設された一対の傾斜面部、これら一対の傾斜面部の先端から上方に向って突出する一対の突出壁、これら一対の突出壁のそれぞれに内方に向けて突設された一対の嵌合突部を備え、前記既設公共桝の流入口および流出口のそれぞれに前記流入側被嵌合部および前記流出側被嵌合部を臨ませて、前記胴体部を前記既設公共桝のインバート部に載置させ、かつ前記一対の傾斜面部を前記既設公共桝のインバート部の両側に載置させた状態で、この既設公共桝内に配設されるインバート部材と、一端に開口され前記インバート部材の流入側被嵌合部に嵌合される流入側嵌合部、およびこの流入側嵌合部と対向する他端に開口され前記既設公共桝の流入口に嵌挿される流入口嵌挿部を備えた略円筒状の流入側接続体と、一端に開口され前記インバート部材の流出側被嵌合部に嵌合される流出側嵌合部、およびこの流出側嵌合部と対向する他端に開口され前記既設公共桝の流出口に嵌挿される流出口嵌挿部を備えた略円筒状の流出側接続体と、上方に開口され略円筒状の立上り管が嵌挿接続可能な嵌挿口を有する筒状部、この筒状部の外周面に形成され前記インバート部材に載置させた状態でこのインバート部材の一対の嵌合突部に嵌合する一対の嵌合段部を備え、これら一対の嵌合段部に前記インバート部材の一対の嵌合突部をそれぞれ嵌合させることにより、このインバート部材に嵌合させた前記流入側接続体および前記流出側接続体のそれぞれに嵌合して前記既設公共桝の流入口と流出口とを連通する連通部材とを具備しているものである。
【０００８】
そして、この構成では、インバート部材の流入側被嵌合部および流出側被嵌合部をそれぞれ既設公共桝の流入口および流出口に臨ませ、このインバート部材の胴体部を既設公共桝のインバート部に載置させるとともに、このインバート部材の一対の傾斜面部を既設公共桝のインバート部の両側に載置させる。次いで、流入側接続体の流入口嵌挿部を既設公共桝の流入口に嵌挿させた後、この流入側接続体の流入側嵌合部をインバート部材の流入側被嵌合部に嵌合させる。この後、流出側接続体の流出口嵌挿部を既設公共桝の流出口に嵌挿させた後、この流出側接続体の流出側嵌合部をインバート部材の流出側被嵌合部に嵌合させる。
【０００９】
さらに、連通部材の一対の嵌合段部それぞれをインバート部材の一対の嵌合突部に嵌合させる。すると、インバート部材に嵌合した流入側接続体および流出側接続体のそれぞれに嵌合して既設公共桝の流入口と流出口とを連通部材が連通して、既設公共桝が補修される。この結果、既製の排水桝などを既設公共桝内に配設してこの既設公共桝を補修する場合などに比べ、既設公共桝の補修が容易になる。
【００１０】
また、連通部材の一対の嵌合段部それぞれをインバート部材の一対の嵌合突部に嵌合させることにより、既設公共桝の流入口と流出口とが連通するので、既設公共桝内でのインバート部材に対する連通部材の正確な取り付けが容易である。この結果、既設公共桝の確実な補修が容易である。さらに、立上り管が嵌挿接続可能な嵌挿口を連通部材の筒状部の上方に開口したため、この嵌挿口に立上り管を嵌挿接続することにより、補修後の既設公共桝をモルタルなどで埋設しても、この立上り管の上部から連通部材、インバート部材、流入側接続体および流出側接続体それぞれの内部が点検および掃除可能である。
【００１１】
請求項２記載の補修桝は、請求項１記載の補修桝において、インバート部材は、一対の突出壁の内周面にそれぞれ形成され、一対の嵌合突部に連通部材の一対の嵌合段部をそれぞれ嵌合させた状態で、この連通部材の外側面と当接する一対の接着面部を備えているものである。
【００１２】
そして、この構成では、インバート部材の一対の突出壁の内周面にそれぞれ形成した一対の接着面部に接着剤を塗布した後、このインバート部材の一対の嵌合突部に連通部材の嵌合段部を嵌合させることにより、これら一対の接着面部が連通部材の外側面に当接するので、インバート部材と連通部材とが接着接続可能となる。この結果、インバート部材と連通部材を接着することにより、インバート部材に対する連通部材の嵌合が固定するとともに水密性が図れるので、既設公共桝の確実な補修がより容易になる。
【００１３】
【発明の実施の形態】
以下、本発明の補修桝の一実施の形態の構成を図１ないし図７を参照して説明する。
【００１４】
図１ないし図７において、１は補修桝で、この補修桝１は、例えば、図６および図７に示すように、各宅内側に位置する排水管２と道路側に位置する取付管３とに接続され地中に埋設された既設の公共桝である既設公共桝５内に配設され、この既設公共桝５を補修する。
【００１５】
そして、この既設公共桝５は、コンクリートにて略円筒状に成形された桝本体６を備えており、この桝本体６の上流側には、排水管２と連通した流入口７が開口形成されている。また、この流入口７と対向する桝本体６の下流側には、この流入口７より径大な内径寸法を有し、取付管３と連通した流出口８が開口形成されている。
【００１６】
また、桝本体６上には、この桝本体６と同径な略円筒状にコンクリートにて成形された高さ調節体９が、例えば接合剤としてのモルタルなどが用いられて同心状に積み上げた状態で水密に固着されている。そして、この高さ調節体９の上部側には、外部から既設公共桝５内を掃除または点検するための掃除口部10が開口されており、この掃除口部10には、鋳物などにて略円盤状に成形された蓋体11が着脱可能に嵌合されている。
【００１７】
さらに、既設公共桝５の桝本体６内には、モルタルが流し込められて、この桝本体６の流入口７と流出口８とを連通する半円形状のインバート部12が形成されている。また、このインバート部12の軸方向における両側には、側方に向かうに連れて徐々に上方に向けて傾斜する一対の傾斜部13a，13bがそれぞれ形成されている。さらに、インバート部12には、桝本体６の流入口７側から流出口８側に向けて徐々に下方に向けて傾斜した流水勾配が形成されている。
【００１８】
そして、補修桝１は、例えばＰＶＣ、すなわちポリ塩化ビニルなどの合成樹脂にて成形されており、既設公共桝５のインバート部12に載置されるインバート部材21を備えている。このインバート部材21は、図１ないし図３に示すように、円筒をこの円筒の中心軸を通過しかつ対向する径方向で軸方向に沿って切断された略断面凹弧状の胴体部22を備えている。この胴体部22の軸方向における両端には、拡径されて流入側被嵌合部23および流出側被嵌合部24がそれぞれ形成されている。なお、この胴体部22は、流入側被嵌合部23から流出側被嵌合部24に向かうに連れて徐々に拡径するテーパ状に形成することが好ましい。
【００１９】
また、この胴体部22の両側には、この胴体部22の軸方向に沿って突出する平板状の一対の傾斜面部としてのフランジ部25a，25bが形成されている。これら一対のフランジ部25a，25bは、胴体部22を既設公共桝５のインバート部12に載置させた状態で、この既設公共桝５の一対の傾斜部13a，13bにそれぞれ載置する角度に傾斜している。そして、インバート部材21は、既設公共桝５の流入口７および流出口８それぞれに、このインバート部材21の流入側被嵌合部23および流出側被嵌合部24をそれぞれ臨ませて、このインバート部材21の胴体部22を既設公共桝５のインバート部12に載置させ、かつこのインバート部材21の一対のフランジ部25a，25bを既設公共桝５の一対の傾斜部13a，13bに載置させた状態で、この既設公共桝５内に配設される。
【００２０】
さらに、これらフランジ部25a，25bの先端には、胴体部22を既設公共桝５のインバート部12に載置させた状態で、上方に向けて突出する円弧状の一対の突出壁27a，27bがそれぞれ形成されており、これら突出壁27a，27bそれぞれの先端には、相対する方向に向けて突出する一対の嵌合突部28a，28bがそれぞれ形成されている。また、これら一対の嵌合突部28a，28bの基端内周である突出壁27a，27bの内周面には、略平坦に湾曲した接着面部29a，29bがそれぞれ形成されている。
【００２１】
そして、既設公共桝５内のインバート部12内に載置させたインバート部材21の上流側には、図６および図７に示すように、例えばＰＶＣ、すなわちポリ塩化ビニルなどの合成樹脂にて短筒状の略円筒状に成形された流入側接続体31が取り付けられる。そして、この流入側接続体31は、可撓性を有する部材、例えばゴムなどで蛇腹状に成形された略円筒状の蛇腹筒部32を備えており、この蛇腹筒部32の軸方向における一端には、インバート部材21の流入側被嵌合部23の下方略半分に嵌合可能な外径寸法を有する流入側嵌合部33が開口形成されている。また、この流入側嵌合部33と対向する蛇腹筒部32の軸方向における他端には、既設公共桝５の流入口７に接合剤により液密に嵌挿可能であり圧入可能な外径寸法を有する流入口嵌挿部34が開口形成されている。
【００２２】
また、この流入口嵌挿部34の開口内縁には、周方向に沿って開口方向に向けて徐々に肉薄となるテーパ状のテーパ部35が形成されている。さらに、流入側接続体31は、流入側嵌合部33がインバート部材21の流入側被嵌合部23に嵌合され、流入口嵌挿部34が桝本体６の流入口７に接続された排水管２内に液密に嵌挿されて、既設公共桝５のインバート部12内に載置される。
【００２３】
さらに、既設公共桝５内のインバート部12内に載置させたインバート部材21の下流側には、例えばＰＶＣ、すなわちポリ塩化ビニルなどの合成樹脂にて流入側接続体31より径大な略円筒状に成形された流出側接続体41が取り付けられている。この流出側接続体41は、インバート部材21の流出側被嵌合部24の下方略半分に嵌合可能な外径寸法を有する流出側嵌合部42が軸方向における一端に開口形成された流出側接続本体43を備えており、この流出側接続本体43の軸方向における他端には、胴部44が可撓性を有する部材、例えばゴムなどで蛇腹状に成形された略円筒状の蛇腹体45の軸方向における一端が水密な状態で嵌合接続されている。
【００２４】
そして、この蛇腹体45の軸方向における他端には、桝本体６の流出口８に接続された取付管３内に嵌挿可能な外径寸法を有する流出口嵌挿部46が開口形成されている。この流出口嵌挿部46の開口外縁には、この流出口嵌挿部46の内周面に対して外周面が上方に向けて偏心した略円環状の突部47が形成されている。
【００２５】
この突部47は、可撓性を有する樹脂、例えばゴムなどにて形成されている。また、この突部47は、桝本体６の流出口８に接続された取付管３内に流出口嵌挿部46を嵌挿した際に、この流出口嵌挿部46の下方内周面と取付管３の下方内周面との段差を少なくするとともに、この取付管３に対して流出口嵌挿部46を水密に接続する。よって、この突部47は、流出口嵌挿部46内から取付管３内へと向かう排水を流れやすくする。
【００２６】
さらに、流出側接続体41は、流出側嵌合部42がインバート部材21の流出側被嵌合部24に嵌合され、流出口嵌挿部46が桝本体６の流出口８に接続された取付管３内に嵌挿されて、既設公共桝５のインバート部12内に載置される。
【００２７】
また、既設公共桝５のインバート部12に載置され、流入側接続体31および流出側接続体41が取り付けられたインバート部材21には、このインバート部材21上に載置させることにより、このインバート部材21に嵌合する連通部材51が取り付けられている。この連通部材51は、図４および図５に示すように、円筒をこの円筒の中心軸を通過しかつ対向する径方向で軸方向に沿って切断した略断面凸弧状の連通部材本体52を備えており、この連通部材本体52の上面略中央部には、上方に向けて嵌挿口53を延出した略円筒状の筒状部54が形成されている。
【００２８】
そして、この筒状部54の嵌挿口53には、この嵌挿口53を上方に向けて延出させることにより、既設公共桝５内の上方に掃除口55を形成するための立上り管56が嵌挿接続されている。この立上り管56は、例えばＰＶＣ、すなわちポリ塩化ビニルなどの合成樹脂により円筒状に成形されている。また、連通部材本体52の軸方向の両端である筒状部54の内周の対向する位置には、この筒状部54の嵌挿口53に嵌挿した立上り管56の下端を係止する一対の係止段部57a，57bが形成されている。これら一対の係止段部57a，57bそれぞれは、筒状部54の周方向における略１／４の長さを有している。ここで、これら一対の係止段部57a，57bを、筒状部54の内周面の全域に周方向に沿って形成することもできる。
【００２９】
さらに、立上り管56は、既設公共桝５内に配設したインバート部材21に嵌合した連通部材51の嵌挿口53に嵌挿接続されて、一対の係止段部57a，57bにより係止された状態で、この既設公共桝５内に配設可能な長さ寸法を有する。また、この立上り管56の上方には、この連通部材51、インバート部材21、流入側接続体31および流出側接続体41の内部を掃除または点検する掃除口55が開口されている。さらに、この掃除口55には、この掃除口55からの土砂などの侵入を防止する内蓋58が着脱可能に嵌合されている。
【００３０】
さらに、連通部材51の連通部材本体52の軸方向における一端には、インバート部材21の流入側被嵌合部23に嵌合された流入側接続体31の流入側嵌合部33の上方略半分と嵌合可能な内径寸法を有する流入連通部62が形成されている。また、この流入連通部62と対向する連通部材本体52の他端には、インバート部材21の流出側被嵌合部24に嵌合された流出側接続体41の流出側嵌合部42の上方略半分と嵌合可能な内径寸法を有する流出連通部63が形成されている。
【００３１】
また、連通部材本体52の軸方向における両側である筒状部54の対向する外側面には、一対の嵌合段部65a，65bが形成されており、これら一対の嵌合段部65a，65bは、インバート部材21に連通部材51を載置させることにより、このインバート部材21の一対の嵌合突部28a，28bにそれぞれ嵌合する。また、これら一対の嵌合段部65a，65bの下方の外周面には、筒状部54の外周面に沿って湾曲した被接着面部66a，66bがそれぞれ形成されている。これら被接着面部66a，66bは、連通部材51の一対の嵌合段部65a，65bをインバート部材21の一対の嵌合突部28a，28bにそれぞれ嵌合させた状態で、このインバート部材21の一対の接着面部29a，29bにそれぞれ当接する。
【００３２】
ここで、インバート部材21を上下方向に抜く鋳型にて成形する場合には、一対の嵌合段部65a，65bのそれぞれの上方に位置するインバート部材21の内周面に、この嵌合段部65a，65bの周方向における長さ寸法と等しい幅寸法で、これら各嵌合段部65a，65bより上方に向かう図示しない肉薄部がそれぞれ形成される。
【００３３】
そして、連通部材51は、既設公共桝５のインバート部12にインバート部材21が載置され、このインバート部材21に流入側接続体31および流出側接続体41がそれぞれ嵌合され、さらに、これら流入側接続体31の流入口嵌挿部34および流出側接続体41の流出口嵌挿部46が、既設公共桝５の流入口７および流出口８にそれぞれ嵌挿された後、これらインバート部材21、流入側接続体31および流出側接続体41のそれぞれに対してこの連通部材51を嵌合させることにより、既設公共桝５の流入口７と流出口８とを水密に連通する。
【００３４】
次に、上記一実施の形態の作用を説明する。
【００３５】
各家庭の排水管２および取付管３に接続された既設公共桝５が、長期間に渡る使用により、ひび割れまたは各接合部分が劣化してしまい、この既設公共桝５の外部から雨水または植物の根などが侵入してしまうおそれがある場合や、すでに侵入してしまった場合などには、まず、排水管２内に流入する排水を停止させる。
【００３６】
次いで、既設公共桝５の掃除口部10から蓋体11を取り外し、この既設公共桝５内を掃除する。このとき、既設公共桝５のインバート部12、傾斜部13a，13bおよび桝本体６内を特に入念に掃除し、この後、この既設公共桝５内を乾燥させる。
【００３７】
そして、既設公共桝５内が乾燥した際には、この既設公共桝５内にインバート部材21を挿入し、このインバート部材21の流入側被嵌合部23および流出側被嵌合部24をそれぞれ既設公共桝５の流入口７および流出口８に臨ませた状態で、このインバート部材21を既設公共桝５のインバート部12上に載置させる。
【００３８】
このとき、インバート部材21のフランジ部25a，25bが、既設公共桝５の傾斜部13a，13bにそれぞれ載置する。
【００３９】
さらに、この既設公共桝５内に流入側接続体31を挿入し、この流入側接続体31の流入口嵌挿部34を既設公共桝５の流入口７に接続された排水管２内に嵌挿させて接合固定するとともに、この流入側接続体31の流入側嵌合部33をインバート部材21の流入側被嵌合部23に嵌合接着する。
【００４０】
次いで、この既設公共桝５内に流出側接続体41を挿入し、この流出側接続体41の流出口嵌挿部46を既設公共桝５の流出口８に接続された取付管３内に嵌挿する。このとき、流出側接続体41の流出口嵌挿部46は、既設公共桝５の流出口８に接続された取付管３に対して突部47にて水密に接続される。さらにこの状態で、この流出側接続体31の流出側嵌合部42をインバート部材21の流出側被嵌合部24に嵌合接着する。
【００４１】
そして、連通部材51の流入連通部62の内周面および被接着面部66a，66bに接着剤をそれぞれ塗布した後、この連通部材51を既設公共桝５内に挿入する。
【００４２】
この後、インバート部材21の一対の嵌合突部28a，28bのそれぞれに、連通部材51の一対の嵌合段部65a，65bをそれぞれ嵌合させる。
【００４３】
このとき、連通部材51の被接着面部66a，66bがインバート部材21の接着面部29a，29bに当接して接着されるとともに、この連通部材51の流入連通部62と流出連通部63とが、インバート部材21の流入側被嵌合部23に嵌合した流入側接続体31の流入側嵌合部33とインバート部材21の流出側被嵌合部24に嵌合した流出側接続体41の流出側嵌合部42とにそれぞれ当接して接着される。
【００４４】
この結果、インバート部材21、流入側接続体31、流出側接続体41および連通部材51により、既設公共桝５の流入口７に接続された排水管２と、この既設公共桝５の流出口８に接続された取付管３とが連通する。
【００４５】
さらに、立上り管56の下端側の外周面および連通部材51の筒状部54の内周面のそれぞれに接着剤を塗布した後、立上り管56を既設公共桝５内に挿入し、連通部材51の係止段部57a，57bにそれぞれ係止するまでこの立上り管56の下端をこの連通部材51の嵌挿口53に嵌挿して接着固定する。
【００４６】
この後、立上り管56の掃除口55に内蓋58を嵌合し、既設公共桝５内にモルタルまたは残土などを注入し、このモルタルまたは残土などでインバート部材21、流入側接続体31、流出側接続体41および連通部材51を埋設する。
【００４７】
さらに、既設公共桝５の掃除口部10に蓋体11を嵌合した後、この既設公共桝５の流入口７に接続された排水管２に対するの排水の流入の停止を解除する。
【００４８】
上述したように、上記一実施の形態によれば、既設公共桝５のインバート部12にインバート部材21を載置させた後、このインバート部材21に流入側接続体31および流出側接続体41を取り付け、さらに、このインバート部材21に連通部材51を嵌合させることにより、既設公共桝５の流入口７と流出口８とが水密に連通して、この既設公共桝５を補修できる。この結果、既製の排水桝などを既設公共桝５内に配設して、この既設公共桝５を補修する場合に比べ、既設公共桝５の補修が容易にできる。
【００４９】
また、連通部材51の嵌合段部65a，65bをインバート部材21の嵌合突部28a，28bにそれぞれ嵌合させることにより、既設公共桝５の流入口７と流出口８とを連通できる。これにより、既設公共桝５内でのインバート部材21に対する連通部材51の正確な位置決めを容易にできるとともに、既設公共桝５の確実な補修を容易にできる。
【００５０】
さらに、連通部材51の嵌挿口53に立上り管56を嵌挿接続することにより、補修後の既設公共桝５内をモルタルや残土などで埋設した場合であっても、この立上り管56の掃除口55からインバート部材21、流入側接続体31、流出側接続体41および連通部材51それぞれの内部を点検および掃除できる。
【００５１】
そして、インバート部材21の接着面部29a，29bに接着剤を塗布した後、このインバート部材21の嵌合突部28a，28bに連通部材51の嵌合段部65a，65bをそれぞれ嵌合させることにより、これら接着面部29a，29bが連通部材51の被接続面部66a，66bに当接するので、インバート部材21と連通部材51とを接着接続できる。
【００５２】
このため、インバート部材21に対する連通部材51の嵌合を固定できるとともに安定化でき、さらには、インバート部材21と連通部材51とを容易に水密な状態で接続できるので、既設公共桝５の確実な補修を容易にできる。
【００５３】
さらに、連通部材51の嵌挿口53に立上り管56を嵌挿した際に、この連通部材51の係止段部57a，57bに立上り管56の下端が係止するので、連通部材51の嵌挿口53に対する立上り管56の入り込みすぎを防止できるとともに、この嵌挿口53に立上り管56を嵌挿した際における嵌挿距離を一定にできる。この結果、連通部材51の嵌挿口53に対する立上り管56の正確な嵌挿をより容易かつ確実にできるので、既設公共桝５の正確な補修が容易にできる。
【００５４】
また、連通部材51の筒状部54の内周に、この筒状部54の周方向における略１／４の長さを有し、かつこの筒状部54の嵌挿口53に嵌挿した立上り管56の下端を係止する一対の係止段部57a，57bを形成したことにより、この係止段部57a，57bを筒状部54の内周全域に亘って形成した場合に比べ、この係止段部57a，57bの下方に位置する肉厚な部分が少なくなる。よって、連通部材51を成形する際における曳けを防止できる。
【００５５】
さらに、流入側接続体31の蛇腹筒部32および流出側接続体41の蛇腹体45が可撓性を有するため、既設公共桝５の流入口７および流出口８に対して排水管２および取付管３が下方または側方に向けて屈曲している場合であっても、流入側接続体31および流出側接続体41を排水管２および取付管３に嵌挿して水密に接続できる。
【００５６】
また、流出側接続体41の流出口嵌挿部46の開口外縁に可撓性を有する突部47を形成したため、多少内径寸法が異なる取付管３であっても、この流出側接続体41を取付管３に水密な状態で確実に接続できる。
【００５７】
そして、連通部材51の掃除口55に内蓋58を嵌合させることにより、この掃除口55に対する侵入水や土砂などの侵入が防止できる。
【００５８】
さらに、テーパ部35を流入側接続体31の流入口嵌挿部34の開口内縁に形成したことにより、この流入口嵌挿部34を既設公共桝５の流入口７に嵌挿した際における流入口嵌挿部34の内面と流入口７の内面との段差を減少できる。このため、流入口７から流入側接続体31へと流れる排水に対する抵抗を減少できるので、流入口７から流出する排水を流出口８へと滑らかに排水できる。
【００５９】
なお、上記一実施の形態では、既設公共桝５を破壊または撤去することなく、この既設公共桝５を補修する構成について説明したが、このような構成に限定されることはなく、補修桝１にて既設公共桝５の流入口７と流出口８とを連通して補修できる構成であれば、どのような構成であってもよい。
【００６０】
例えば、図８に示すように、既設公共桝５の掃除口部10から蓋体11を取り外してこの既設公共桝５の高さ調節体９を撤去した後、この既設公共桝５の桝本体６内の所定の位置にインバート部材21、流入側接続体31、流出側接続体41、連通部材51、立上り管56および内蓋58を順次配設する。この後、既設公共桝５の桝本体６の上方であるとともに立上り管56の上方に、新たに沈下防止板としての台座71を配設し、さらに、この台座71上に防護蓋枠72を配設し、この防護蓋枠72に防護蓋73を嵌合させて、既設公共桝５を補修することもできる。そして、このように構成することにより、上記一実施の形態と同様の作用効果を奏することができる。
【００６１】
また、インバート部材21を既設公共桝５のインバート部12に載置させた後に、このインバート部材21に流入側接続体31および流出側接続体41を取り付ける構成について説明したが、流入側接続体31および流出側接続体41のいずれか一方をインバート部材21と一体に成形することもできる。そして、このように構成することにより、既設公共桝５を補修するために必要な部材の数が減少するので、既設公共桝５を補修する際における補修作業を簡略化できるとともに、製造コストを削減でき、在庫管理を容易にできる。
【００６２】
さらに、流入側接続体31の中間部に蛇腹筒部32を形成し、流出側接続体41の中間部に蛇腹体45を形成したが、これら流入側接続体31および流出側接続体41を塩化ビニル樹脂による一体成形で形成することもできる。
【００６３】
また、インバート部材21に連通部材51を嵌合させた際に、このインバート部材21の嵌合突部28a，28bに嵌合する嵌合段部65a，65bを連通部材51に形成した構成について説明したが、インバート部材21に連通部材51を嵌合することにより、インバート部材21と連通部材51とが位置決め固定できる構成であればよい。このため、例えば嵌合段部65a，65bを形成することなく、インバート部材21の嵌合突部28a，28bに嵌合可能な図示しない嵌合溝を連通部材51の外周面に形成しても上記一実施の形態と同様の作用効果を奏することができる。
【００６４】
【発明の効果】
請求項１記載の補修桝によれば、既設公共桝のインバート部に載置され、かつ流入側接続体および流出側接続体が嵌合されたインバート部材の一対の嵌合突部のそれぞれに、連通部材の一対の嵌合段部をそれぞれ嵌合させることにより、既設公共桝の流入口と流出口とを連通させて既設公共桝を補修するため、既設公共桝内でのインバート部材に対する連通部材の正確な取り付けを容易にでき、既設公共桝の確実な補修を容易できる。
【００６５】
請求項２記載の補修桝によれば、請求項１記載の補修桝の効果に加え、インバート部材の一対の接着面部に接着剤を塗布した後、このインバート部材の一対の嵌合突部に連通部材の嵌合段部を嵌合させることにより、これら一対の接着面部が連通部材の外側面に当接するので、インバート部材と連通部材とを接着して接続でき、インバート部材に対する連通部材の嵌合を固定できるとともに安定できるため、既設公共桝の確実な補修をより容易にできる。
【図面の簡単な説明】
【図１】本発明の補修桝の一実施の形態を示す一部を切り欠いた正面図である。
【図２】同上補修桝を示す上面図である。
【図３】同上補修桝を示す側面図である。
【図４】同上補修桝の連通部材を示す一部を切り欠いた平面図である。
【図５】同上連通部材を示す上面図である。
【図６】同上補修桝での補修状態を示す横断面図である。
【図７】同上補修桝での補修状態を示す縦断面図である。
【図８】同上補修桝での他の補修状態を示す横断面図である。
【符号の説明】
１    補修桝
５    既設公共桝
７    流入口
８    流出口
12    インバート部
21    インバート部材
22    胴体部
23    流入側被嵌合部
24    流出側被嵌合部
25a，25b    傾斜面部としてのフランジ部
27a，27b 突出壁
28a，28b    嵌合突部
29a，29b    接着面部
31    流入側接続体
33    流入側嵌合部
34    流入口嵌挿部
41    流出側接続体
42    流出側嵌合部
46    流出口嵌挿部
51    連通部材
53    嵌挿口
54    筒状部
56    立上り管
65a，65b    嵌合段部
【図１】
0004365521.tif 000002
【図２】
0004365521.tif 000003
【図３】
0004365521.tif 000004
【図４】
0004365521.tif 000005
【図５】
0004365521.tif 000006
【図６】
0004365521.tif 000007
【図７】
0004365521.tif 000008
【図８】
0004365521.tif 000009